(57)【特許請求の範囲】
【請求項１】
ヒンジ部が形成されたシステムハウジングに内装され、ディスプレイモジュールを有する液晶表示装置の前記ディスプレイモジュールの中のランプに連結されて前記ランプに必要な電源を供給するインバータを固定する、液晶表示装置のインバータ固定構造であって、
前記インバータと、
前記ディスプレイモジュールを固定するケースと、
前記ケースの外側の面であって前記ヒンジ部側となる第１の面に直接的に接触され、第１の面に結合されるケース部と、前記インバータが装着されるインバータ部とからなり、前記ケース部は第１の面と平行で、前記インバータ部は前記ケースの前面と平行で、前記インバータ部に装着されるインバータが前記ケースの前記前面からも後面からも突出しないように、前記インバータ部は前記ケース部の中心近傍に位置する、少なくとも１つのブラケットと、を備えた液晶表示装置のインバータ固定構造。
【請求項２】
前記ブラケットを、前記インバータの一方の側と他方の側を均等に支持するために、第１の面に少なくとも２つ備えたことを特徴とする請求項１記載の液晶表示装置のインバータ固定構造。
【請求項３】
前記ブラケットを２つ備え、当該２つのブラケットのうち、第１ブラケットのインバータ部には案内突起が形成され、第２ブラケットのインバータ部には締結孔が形成され、前記インバータの一方の側には前記案内突起が挿入されるようにガイドホールが形成され、前記インバータの他方の側には前記締結孔とネジ締結されるように結合孔が形成され、前記インバータのガイドホールが前記第１ブラケットの案内突起に挿入された後、前記インバータの結合孔が前記第２ブラケットの締結孔にネジ締結されることを特徴とする請求項２記載の液晶表示装置のインバータ固定構造。
【請求項４】
前記固定ブラケットのケース部と第１の面は、前記ケース部に突起が形成され、その突起に対応するように前記ケースに突起孔が形成され、前記突起が前記突起孔に挿入された後、パンチングして結合されることを特徴とする請求項１記載の液晶表示装置のインバータ固定構造。
【請求項５】
前記請求項１ないし４のいずれかに記載のインバータ固定構造によってインバータを固定した液晶表示装置。
【請求項６】
請求項１ないし４に記載された液晶表示装置のインバータ固定構造において、液晶表示装置はノートブックコンピュータにおける液晶表示装置であることを特徴とする液晶表示装置のインバータ固定構造。
【請求項７】
請求項６記載のインバータ固定構造によってインバータを固定したノートブックコンピュータ用の液晶表示装置。
【請求項８】
前記ヒンジ部の空間に前記インバータが備えられた請求項７記載のノートブックコンピュータ用の液晶表示装置。
【請求項９】
請求項７または８記載の液晶表示装置を有するノートブックコンピュータ。
【発明の詳細な説明】
【０００１】
【発明の属する技術分野】
本発明は液晶表示装置のインバータに関し、更に詳しくはノートブックコンピュータなどのシステムハウジング空間が効率よく使用されるように装着位置及びそれに伴う固定構造が改善されたインバータおよび当該固定構造によってインバータを固定した液晶表示装置に関する。
【０００２】
【従来の技術】
一般に、映像表示用機器（システム）としてはノートブックコンピュータ、モニター、ＴＶなどがあり、例えば、ノートブックコンピュータは、図１に示すように、入力−記憶−演算装置などが内装される本体１０と、その本体１０から回動可能に支持され、液晶表示装置２０が内装されるシステムハウジング３０とを備える。
【０００３】
ここで、前記システムハウジング３０の下端部にはヒンジ部３１が所定の長さにわたって突出して形成されており、また、図示していないが、モニターやＴＶの下部にはコントロール部が内装されるように所定の部分が突出して形成されている。
前記システムハウジング３０に内装する液晶表示装置２０のＬＣＤは、図示していないが、公知の技術として、ランプによって光を発する背光部と、その背光部の全面に備えられて背光部の光を受けて画像を表示する液晶ファンネル部（又はディスプレイ部）からなる平板型ディスプレイモジュールと、前記平板型ディスプレイモジュールの縁部を支持して、相互の必要な間隔を維持させるフレームと、前記ディスプレイモジュールとフレームとを一体に固定させるケースとを含み、前記液晶ファンネル部に入っている液晶分子の移動を用いて映像を実現させる。
【０００４】
以下、上記内容に基づき、従来技術による液晶表示装置のインバータ固定構造を説明する。
【０００５】
一般に、インバータ２１は常用電源を入力してランプに必要な電源に変換し、前記液晶表示装置２０のランプ（図示せず）に必要な電源を供給する装置として、図２に示すように、液晶表示装置２０のケース後面に装着されるか、場合によっては、図示していないが、前記システムハウジング３０の内側面に装置される。
【０００６】
【発明が解決しようとする課題】
しかしながら、前記インバータ２１を液晶表示装置２０の後面又はシステムハウジング３０の内面に装着すると、液晶表示装置又はシステムハウジングが厚くなるため、軽量薄型を目指す映像出力用機器の技術に適していないという問題があった。
【０００７】
そこで、本発明の目的は、ノートブックコンピュータなどのシステムハウジング空間が効率よく使用されるようにインバータの装着位置を変更すると共に、それに伴う固定構造を改善することである。
【０００８】
【課題を解決するための手段】
このような目的を達成するために、本発明は、
ヒンジ部が形成されたシステムハウジングに内装され、ディスプレイモジュールを有する液晶表示装置の前記ディスプレイモジュールの中のランプに連結されて前記ランプに必要な電源を供給するインバータを固定する、液晶表示装置のインバータ固定構造であって、
前記インバータと、
前記ディスプレイモジュールを固定するケースと、
前記ケースの外側の面であって前記ヒンジ部側となる第１の面に直接的に接触され、第１の面に結合されるケース部と、前記インバータが装着されるインバータ部とからなり、前記ケース部は第１の面と平行で、前記インバータ部は前記ケースの前面と平行で、前記インバータ部に装着されるインバータが前記ケースの前記前面からも後面からも突出しないように、前記インバータ部は前記ケース部の中心近傍に位置する、少なくとも１つのブラケットと、を備えた液晶表示装置のインバータ固定構造
を提供する。
【０００９】
【発明の実施の形態】
以下、本発明の好ましい実施形態を図面に沿って詳細に説明する。従来技術と同一な構造については同じ符号を付する。
【００１０】
本発明による液晶表示装置のインバータ固定構造は、図３と図４に示すように、ディスプレイモジュールの中、ランプに連結され、ランプに必要な電源を供給するインバータ２１と、前記ディスプレイモジュールを固定するケース２２とを含む液晶表示装置２０において、前記ケース２２の外側の面であって、システムハウジングのヒンジ部側となる面（第１の面）に直接的に接触されるブラケット４０を設け、そのブラケット上に前記インバータ２１を固定する構造を有する。
前記ブラケット４０は、図４に示すように、上記第１の面に結合されるケース部４１と、前記インバータ２１が装着されるインバータ部４２とからなる。
【００１１】
ここで、前記ブラケットのケース部４１は第１の面と平行で、前記ブラケットのインバータ部４２は前記ケース２２の前面と平行で、前記ブラケットのインバータ部４２に装着されるインバータ２１が前記ケース２２の前面からも後面からも突出しないように、前記ブラケットのインバータ部４２は前記ケース部４１の中心近傍に位置することが好ましい。その理由は、インバータ２１によって液晶表示装置２０の厚さが増大することを防止するためである。
【００１２】
結局、上記構造を有することで、図１に示すシステムハウジング３０のヒンジ部３１などの空間に前記インバータ２１が備えられることにより、システムハウジングの厚さを薄くすることができる。
【００１３】
一方、前記ブラケット４０は、前記インバータの一方の側と他方の側を均等に支持するために、第１の面に少なくとも２つ備えることができ、更に詳しくは、本発明の他の実施形態を示す図５に示すように、前記インバータ２１の一方の側を支持するための第１ブラケット１４０と、前記インバータの他方の側を支持するための第２ブラケット２４０とを備えることができる。
【００１４】
以下、図６と図７を参照して、第１ブラケット１４０と第２ブラケット２４０に前記インバータ２１を結合する方式を説明する。
【００１５】
図６に示すように、前記第１ブラケットのインバータ部１４２に案内突起１４２ａが形成され、前記インバータ２１の一側に前記案内突起が挿入されるようにガイドホール２１ａが形成される。そして、図７に示すように、前記第２ブラケットのインバータ部２４２に締結孔２４２ａが形成され、前記インバータ２１の他側に前記締結孔とネジ締結されるように結合孔２１ｂを形成する。このように形成すると、まず、前記インバータ２１のガイドホール２１ａを前記第１ブラケット１４０の案内突起１４２ａに挿入させ、前記インバータ２１の結合孔２１ｂを前記第２ブラケット２４０の締結孔２４２ａにネジ締結させることができる。
【００１６】
結局、２つのブラケット１４０，２４０を使用することにより、インバータ２１の支持力が向上し、インバータの一方の側を予め第１ブラケット１４０に差し込んだ後、インバータの他方の側を第２ブラケット２４０にネジ締結することにより、作業性が向上する。
【００１７】
一方、前記ブラケット４０，１４０，２４０のケース部と第１の面は、図示していないが、様々な方式によって結合することができ、好ましくは、前記一端部に突起を形成し、その突起に対応するように前記ケースに突起孔を形成し、前記突起が前記突起孔に挿入された後、パンチングして結合することができる。
また、溶接又は両面テープによって結合することも可能である。
【００１８】
上記で説明した内容を通じて、当業者であれば本発明の技術思想を逸脱しない範囲内で多様な変更及び修正が可能であることを理解するはずである。従って、本発明の技術的な範囲は明細書の詳細な説明に記載された内容に限定されるものではなく、特許請求の範囲によって定められなければならない。
【００１９】
【発明の効果】
以上説明したように、本発明は、ケースの外側の面であってシステムハウジングのヒンジ部側となる面に直接的に接触されるブラケットを設け、そのブラケット上に前記インバータを固定させたものであって、まず、液晶表示装置又はシステムハウジングが薄くなるという効果がある。さらに、メタル材質のケースに装着されるので、接地効果を向上させることができる。
【図面の簡単な説明】
【図１】  一般的なノートブックコンピュータを示す斜視図である。
【図２】  従来技術による液晶表示装置のインバータ固定構造を示す断面図である。
【図３】  本発明の一実施形態による液晶表示装置のインバータ固定構造を示す斜視図である。
【図４】  図３のＩ−Ｉ断面図である。
【図５】  本発明の他の実施形態による液晶表示装置のインバータ固定構造を示す要部平面図である。
【図６】  図５のＩＩ−ＩＩ断面図である。
【図７】  図５のＩＩＩ−ＩＩＩ断面図である。
【符号の説明】
２０：液晶表示装置
２１：インバータ
２１ａ：ガイドホール
２１ｂ：結合孔
２２：ケース
４０，１４０，２４０：ブラケット
【図１】
0004119171.tif 000002
【図２】
0004119171.tif 000003
【図３】
0004119171.tif 000004
【図４】
0004119171.tif 000005
【図５】
0004119171.tif 000006
【図６】
0004119171.tif 000007
【図７】
0004119171.tif 000008